(57)【特許請求の範囲】
【請求項１】
湯水を本体内に引き込んで洗浄液ノズルから洗浄液として放出する流路に、湯水のベンチュリ効果により洗剤を引き込むベンチュリ部と、湯水のベンチュリ効果により気相を引き込むベンチュリ部とをそれぞれ備え、湯水に洗剤と気相を混合した洗浄液を前記洗浄液ノズルから放出するよう構成したことを特徴とするペット洗浄装置。
【請求項２】
湯水を本体内に引き込んで洗浄液ノズルから洗浄液として放出する前記流路に、洗剤を引き込む前記ベンチュリ部と、気相を引き込む前記ベンチュリ部とを備えたエジェクタを備えたことを特徴とする請求項１に記載のペット洗浄装置。
【請求項３】
洗剤を引き込む前記ベンチュリ部に対し、複数の洗剤ボトルから各々洗剤バルブを介して洗剤が供給されるよう構成したことを特徴とする請求項１または２に記載のペット洗浄装置。
【請求項４】
湯水を本体内に引き込んで洗浄液ノズルから洗浄液として放出する前記流路に定流量弁を備え、且つ洗剤を供給する流路にスロットル弁を備えたことを特徴とする請求項１〜３のいずれか一項に記載のペット洗浄装置。
【請求項５】
炭酸ボンベから導入した炭酸ガスを炭酸ガス流路を介して前記気相を引き込むベンチュリ部から引き込んで湯水に混合し、前記洗浄液ノズルから炭酸ガスを混合した洗浄液を放出し得るよう構成したことを特徴とする請求項１〜４のいずれか一項に記載のペット洗浄装置。
【請求項６】
前記炭酸ボンベから前記気相を引き込むベンチュリ部に炭酸ガスを引き込む前記炭酸ガス流路からミスト用流路を分岐し、該ミスト用流路から導入した炭酸ガスを化粧水と混合して噴霧する炭酸ミストノズルを備えたことを特徴とする請求項５に記載のペット洗浄装置。
【請求項７】
湯水を洗浄液として洗浄液ノズルから放出する前記流路の上流に三方切替弁を備え、洗浄液による洗浄を行わない時は前記三方切替弁を切り替えて洗剤を含まない湯水を湯水ノズルから放出し得るよう構成したことを特徴とする請求項１〜６のいずれか一項に記載のペット洗浄装置。
【請求項８】
前記洗浄液ノズルと前記湯水ノズルの少なくとも一方を前記本体に対して脱着可能に構成したことを特徴とする請求項７に記載のペット洗浄装置。
【発明の詳細な説明】
【技術分野】
【０００１】
本発明は、湯水や洗剤を用いてペットを洗浄するペット洗浄装置に関する。
【背景技術】
【０００２】
一般に、ペットサロン等においてペットを洗浄する際には、例えば専用のシャンプー等の洗剤を洗面器等の容器に適量入れ、湯水で希釈して洗浄液とし、該洗浄液を浴槽内のペットに散布しながら作業者が手洗いした後、ペットに付着した洗浄液を湯水で洗い落とし、ドライヤーでペットを乾燥させるといった手順で行われる。
【０００３】
このようなペットの洗浄のための装置に関連する一般的な技術水準を示す文献としては、例えば、下記特許文献１や２がある。
【先行技術文献】
【特許文献】
【０００４】
【特許文献１】特開平１１−３４６５８９号公報
【特許文献２】特開２００１−３４６４７１号公報
【発明の概要】
【発明が解決しようとする課題】
【０００５】
ところで、ペットの洗浄に用いられる洗剤は、ペットの生物種や品種によって異なり、その洗剤ごとに希釈率が決まっている。特に、犬猫等の場合、全身が密な毛で覆われているために洗浄後の洗い落としが不十分となりがちで洗剤が残留しやすいことに加え、人と比較して皮膚が薄くて刺激に弱く、残留した洗剤により肌を傷めやすいという事情がある。また、当然ながら洗剤の濃度を薄めれば汚れ落ちが悪くなるし、逆に濃くすればすすぎに時間がかかるばかりでなく、洗浄にかかる洗剤や湯水等のコストも増大するという問題もある。このため、洗剤の希釈はなるべく正確に最適濃度にあわせて行われることが望ましい。しかしながら、上記のようなペットの洗浄作業においては、手間の問題から洗剤の希釈は目分量で行われることが多く、必ずしも最適な洗剤濃度で洗浄が行われてはいなかった。また、希釈を手作業で行う場合には、洗剤と湯水の混和が十分でないことがあり、この場合、洗剤濃度にばらつきのある洗浄液がペットに散布されることから、上記した洗剤の残存などの問題が起こりやすくなる虞もあった。さらに、手作業で希釈した洗剤をペットに散布して洗浄を行う場合には、洗剤を希釈した洗浄液を予め準備したうえでペットを洗浄することになるが、この際、洗浄に必要な量の洗浄液を予測して適量を作ることが難しく、結果として洗浄液が無駄になりやすいという問題もあった。
【０００６】
本発明は、斯かる実情に鑑み、洗剤を湯水に対し簡便に希釈混合し、好適にペットを洗浄し得るペット洗浄装置を提供しようとするものである。
【課題を解決するための手段】
【０００７】
本発明は、湯水を本体内に引き込んで洗浄液ノズルから洗浄液として放出する流路に、湯水のベンチュリ効果により洗剤を引き込むベンチュリ部と、湯水のベンチュリ効果により気相を引き込むベンチュリ部とをそれぞれ備え、エジェクタを備え、該エジェクタ内のベンチュリ部から洗剤を引き込み、湯水に洗剤と気相を混合した洗浄液を前記洗浄液ノズルから放出するよう構成したことを特徴とするペット洗浄装置にかかるものである。
本発明を実施するにあたっては、湯水を本体内に引き込んで洗浄液ノズルから洗浄液として放出する前記流路に、洗剤を引き込む前記ベンチュリ部と、気相を引き込む前記ベンチュリ部とを備えたエジェクタを備えることができる。
【０００８】
而して、このようにすれば、湯水を洗浄液ノズルから放出する動作だけで、湯水がエジェクタ内で洗剤と自動的に混合されて洗浄液ノズルから放出されるため、従来の手作業による洗浄に比べ、洗剤を湯水に混合して洗浄液を作成する手間がかからず、洗剤と湯水の混合が不十分になる心配もない。しかも、洗浄液はペットを洗浄するのに必要十分な量だけを洗浄液ノズルから放出することができるため、洗浄液の無駄がない。また、洗剤を含む洗浄液が気相とよく混ぜ合わされ、きめ細かく発泡した状態で洗浄液ノズルから放出されてペットの毛の間に浸透するため、従来の手作業による洗浄に比べ、洗浄液を泡立ててペットに塗布する手間がかからず、ペットに洗浄液をかける動作だけで楽に洗浄できる。
【０００９】
本発明のペット洗浄装置においては、洗剤を引き込む前記ベンチュリ部に対し、複数の洗剤ボトルから各々洗剤バルブを介して洗剤が供給されるよう構成することが好ましく、このようにすれば、ペットの生物種や品種、洗浄手順等に応じて複数の洗剤を簡単に使い分けることができる。
【００１０】
本発明のペット洗浄装置においては、湯水を本体内に引き込んで洗浄液ノズルから洗浄液として放出する前記流路に定流量弁を備え、且つ洗剤を供給する流路にスロットル弁を備えることが好ましく、このようにすれば、予め前記スロットル弁の開度を調整しておくことにより、湯水に対して常に適量の洗剤を混合することができる。
【００１１】
本発明のペット洗浄装置においては、炭酸ボンベから導入した炭酸ガスを炭酸ガス流路を介して前記気相を引き込むベンチュリ部から引き込んで湯水に混合し、前記洗浄液ノズルから炭酸ガスを混合した洗浄液を放出し得るよう構成することが好ましく、このようにすれば、炭酸ガスによる微細な泡が大量に発生し、より好適にペットの洗浄を行うことができる。
【００１２】
本発明のペット洗浄装置においては、前記炭酸ボンベから前記気相を引き込むベンチュリ部に炭酸ガスを引き込む前記炭酸ガス流路からミスト用流路を分岐し、該ミスト用流路から導入した炭酸ガスを化粧水と混合して噴霧する炭酸ミストノズルを備えることが好ましく、このようにすれば、洗浄によってダメージを受けたペットの毛に対し、炭酸ガスを混合した化粧水を噴霧して炭酸ミストケアを行うことができる。
【００１３】
本発明のペット洗浄装置においては、湯水を洗浄液として洗浄液ノズルから放出する前記流路の上流に三方切替弁を備え、洗浄液による洗浄を行わない時は前記三方切替弁を切り替えて洗剤を含まない湯水を湯水ノズルから放出し得るよう構成することが好ましく、このようにすれば、洗浄液の塗布から洗い落としへの作業の移行を簡便に行うことができる。
【００１５】
本発明のペット洗浄装置においては、前記洗浄液ノズルと前記湯水ノズルの少なくとも一方を前記本体に対して脱着可能に構成することが好ましく、このようにすれば、洗浄対象であるペットの大きさに適した前記洗浄液ノズルや前記湯水ノズルをその都度選択し、交換して使用することができる。
【発明の効果】
【００１６】
本発明のペット洗浄装置によれば、洗剤を湯水に対し簡便に希釈混合し、好適にペットを洗浄し得るという優れた効果を奏し得る。
【図面の簡単な説明】
【００１７】
【図１】本発明の実施例の全体構成を示す概念図である。
【図２】本発明の実施例の要部を拡大して示す概念図である。
【発明を実施するための形態】
【００１８】
以下、本発明の実施の形態を添付図面を参照しながら説明する。
【００１９】
図１は本発明の実施によるペット洗浄装置の形態の一例を示すものである。本実施例のペット洗浄装置は、既存の水道配管から湯水Ｗを引き込み、内部に流体の流路を形成する本体１に、該本体１に引き込まれた湯水Ｗを湯水ホース２ａを介してシャワーとして放出する湯水ノズル２と、前記本体１に洗剤Ｓを供給する複数の洗剤ボトル３、４、５と、前記本体１に炭酸チューブ６ａを介して炭酸ガスＧを送り込む炭酸ボンベ６および炭酸ガスレギュレータ６ｂと、前記本体１からミスト用チューブ７ａを介して炭酸ガスＧを放出する炭酸ミストノズル（スプレーガン）７と、前記本体１から洗浄液ホース８ａを介して湯水Ｗに洗剤Ｓや気相を混合した洗浄液を放出する洗浄液ノズル８を備えてなる。
【００２０】
湯水ホース２ａ、洗浄液ホース８ａは、各々が本体１に対してホースコネクタ２ｃ、８ｄを介して脱着可能に取り付けられ、それぞれ必要に応じて湯水ノズル２、洗浄液ノズル８ごと交換できるようになっている。尚、湯水ホース２ａ、洗浄液ホース８ａを湯水ノズル２、洗浄液ノズル８ごと交換するのではなく、湯水ノズル２、洗浄液ノズル８を湯水ホース２ａ、洗浄液ホース８ａに対してそれぞれ脱着可能にすることで、湯水ノズル２、洗浄液ノズル８を本体１に対して脱着可能に構成しても良い。
【００２１】
本体１内部の流路の構成を説明する。既存の水道配管から、本体１に備えられた三方切替弁９を介して本体１内に湯水Ｗが引き込まれる。本体１内に湯水Ｗを引き込むにあたっては、既存の水道配管に本体１を直接接続しても良いし、図示しない給水ホース等により接続しても良い。三方切替弁９は、湯水側出口９ａと洗浄液側出口９ｂを備え、前記水道配管から引き込んだ湯水Ｗを湯水側出口９ａまたは洗浄液側出口９ｂのいずれかから切り替えて放出できるようになっている。湯水側出口９ａには湯水流路２ｂが接続され、三方切替弁９の湯水側出口９ａが開いている時には、湯水Ｗが湯水流路２ｂを通り、湯水ホース２ａを介して湯水ノズル２から放出される。
【００２２】
三方切替弁９の洗浄液側出口９ｂには洗浄液側上流路８ｂが接続されており、該洗浄液側上流路８ｂの下流にはエジェクタ１０が接続され、三方切替弁９の洗浄液側出口９ｂが開いている時には、湯水Ｗが洗浄液側上流路８ｂを通ってエジェクタ１０に供給されるようになっている。洗浄液側上流路８ｂの途中には定流量弁１１が備えられており、洗浄液側上流路８ｂを通過する湯水Ｗはここで流量が一定になるよう調整される。このため、エジェクタ１０内の流路１０ａへ導入される湯水Ｗの流量は、水道配管の水圧によらず一定になっている。
【００２３】
エジェクタ１０は、図２に拡大して示す如く、洗浄液側上流路８ｂの出口から湯水Ｗが導入される流路１０ａを備え、該流路１０ａは流路断面積が流路１０ａの入側および出側よりも小さく絞られた二つのベンチュリ部１０ｂ、１０ｃを備えてなる、二連構造のエジェクタである。ベンチュリ部１０ｂには湯水Ｗに気相として空気Ａまたは炭酸ガスＧを導入するための流路１０ｄが接続され、ベンチュリ部１０ｂを通過する湯水Ｗのベンチュリ効果によって空気Ａや炭酸ガスＧが流路１０ｄに引き込まれるようになっている。同様に、ベンチュリ部１０ｃには湯水Ｗに洗剤Ｓを導入するための流路１０ｅが接続され、ベンチュリ部１０ｃを通過する湯水Ｗのベンチュリ効果によって洗剤Ｓが流路１０ｅに引き込まれるようになっている。このようにして、洗浄液側上流路８ｂからエジェクタ１０の流路１０ａに導入された湯水Ｗは、流路１０ａ内部で気相としての空気Ａと炭酸ガスＧ、および洗剤Ｓと必要に応じて混ぜ合わされ、下流へと放出される。
【００２４】
エジェクタ１０の流路１０ａの出側には、洗浄液側下流路８ｃが接続され、該洗浄液側下流路８ｃの下流には、図１に示す如く洗浄液ホース８ａを介して洗浄液ノズル８が接続されている。
【００２５】
複数の洗剤ボトル３、４、５の中には、それぞれ種類の異なる洗剤Ｓが封入され、洗剤ボトル３、４、５からは、それぞれ本体１に備えられた洗剤バルブ３ａ、４ａ、５ａを介して本体１内部の洗剤流路１２ａに洗剤Ｓが供給される。洗剤流路１２ａの出側は前記エジェクタ１０内の流路１０ｅに接続され、洗剤ボトル３、４、５内の洗剤Ｓが洗剤流路１２ａを介して上記したベンチュリ効果によりエジェクタ１０内の流路１０ｅに供給されるようになっている。洗剤流路１２ａの途中にはスロットル弁１３が備えられ、該スロットル弁１３の開度によりエジェクタ１０内の流路１０ｅに供給される洗剤Ｓの量が調節できるようになっている。
【００２６】
炭酸ボンベ６には、出口に備えた炭酸ガスレギュレータ６ｂを介して炭酸チューブ６ａが接続され、該炭酸チューブ６ａの出側は本体１に備えられた炭酸導入口１４に接続される。炭酸導入口１４の下流の本体１内部には、炭酸ガスＧを洗浄液の流路や後述するミスト用流路へ導くための炭酸ガス流路１４ａが形成されており、該炭酸ガス流路１４ａの出側端部は前記エジェクタ１０の流路１０ｄに接続されている。このようにして、炭酸ボンベ６から炭酸ガスＧが炭酸チューブ６ａ、炭酸ガス流路１４ａを通って前記エジェクタ１０内の流路１０ｄに供給されるようになっている。炭酸ガス流路１４ａは、途中に備えられた炭酸流量計１４ｃにより、内部を流通する炭酸ガスＧの流量を測定できるようになっている。また、炭酸ガス流路１４ａの途中には炭酸バルブ１５が備えられており、該炭酸バルブ１５の開閉により炭酸ガスＧのエジェクタ１０への供給の有無を切り替えられるようになっている。
【００２７】
炭酸ガス流路１４ａの途中であって炭酸バルブ１５の下流側、エジェクタ１０の上流側の一箇所には、空気導入口１６から逆止弁１７を介して空気Ａが供給されるようになっている。すなわち、エジェクタ１０の流路１０ｄには、炭酸バルブ１５を閉じた場合には気相として空気Ａが、炭酸バルブ１５を開いた場合には気相として炭酸ガスＧと空気Ａが導入される。尚、気相としては必ずしも空気Ａを用いなくても良く、空気導入口１６を設けずに炭酸ガスＧだけを流路１０ｄに導入するようにしても良いし、空気Ａ以外の気体を用いても良い。また、エジェクタ１０は内部にベンチュリ部を二つ備え、一方のベンチュリ部１０ｂから気相を、他方のベンチュリ部１０ｃから洗剤Ｓを引き込む二連構造のものを使用しているが、流路８ｂ〜８ｃにエジェクタを複数備え、一つのエジェクタはベンチュリ部から気相を引き込み、別のエジェクタはベンチュリ部から洗剤Ｓを引き込むよう構成しても良い。
【００２８】
炭酸ガス流路１４ａの途中であって炭酸バルブ１５の上流側、炭酸導入口１４の下流側の一箇所には、ミスト用流路１４ｂが炭酸ガス流路１４ａから分岐した枝管として形成され、該ミスト用流路１４ｂの先にはミストバルブ１８が接続される。該ミストバルブ１８の先にはミスト用チューブ７ａを介してスプレーガン７が接続され、炭酸導入口１４から導入された炭酸ガスＧが炭酸ガス流路１４ａからミスト用流路１４ｂを通り、ミスト用チューブ７ａを介してスプレーガン７に供給される。スプレーガン７はノズル７ｂ、タンク７ｃ、スプレーボタン７ｄを備えた公知のものであり、スプレーボタン７ｄを押すとミスト用チューブ７ａから供給された炭酸ガスＧがタンク７ｃ内に注入された化粧水と混ざってノズル７ｂから炭酸ミストとして噴霧されるようになっている。
【００２９】
次に、上記した実施例の作動を説明する。
【００３０】
洗浄液をペットに塗布する際には、三方切替弁９を操作し、洗浄液側出口９ｂを開口すると、三方切替弁９から本体１内に引き込まれた湯水Ｗが洗浄液側上流路８ｂからエジェクタ１０を介して洗浄液側下流路８ｃへと流れ、洗浄液ホース８ａを介して洗浄液ノズル８から放出される。このとき、上記したように、エジェクタ１０内の流路１０ａに設けられたベンチュリ部１０ｂ、１０ｃにおけるベンチュリ効果により、ベンチュリ部１０ｂには気相として空気導入口１６から炭酸ガス流路１４ａ、流路１０ｄを通って空気Ａが導入され、ベンチュリ部１０ｃには、洗剤ボトル３または４または５から洗剤流路１２ａ、流路１０ｅを通って洗剤Ｓが供給される。これにより、エジェクタ１０内で湯水Ｗに適量の洗剤Ｓと、気相としての空気Ａが混合され、洗浄液側下流路８ｃから洗浄液ホース８ａをって洗浄液ノズル８から洗浄液として放出されることになる。
【００３１】
このように、本実施例においては、既存の水道配管から湯水Ｗを本体１内に引き込んで洗浄液ノズル８から洗浄液として放出する流路８ｂ〜８ｃの途中にエジェクタ１０を備え、該エジェクタ１０内のベンチュリ部１０ｃから洗剤Ｓを引き込み、湯水Ｗに洗剤Ｓを混合した洗浄液を洗浄液ノズル８から放出するようにしている。
【００３２】
而して、このようにすれば、湯水Ｗを洗浄液ノズル８から放出する動作だけで、湯水Ｗがエジェクタ１０内で洗剤Ｓと自動的に混合されて洗浄液ノズル８から放出されるため、従来の手作業による洗浄に比べ、洗剤Ｓを湯水Ｗに混合して洗浄液を作成する手間がかからず、洗剤Ｓと湯水Ｗの混合が不十分になる心配もない。しかも、洗浄液はペットを洗浄するのに必要十分な量だけを洗浄液ノズル８から放出することができるため、洗浄液の無駄がない。
【００３３】
また、本実施例においては、エジェクタ１０内のベンチュリ部１０ｂからさらに気相を引き込み、湯水Ｗに洗剤Ｓと気相を混合した洗浄液を前記洗浄液ノズル８から放出するようにしている。このようにすれば、洗剤Ｓを含む洗浄液が気相とよく混ぜ合わされ、きめ細かく発泡した状態で洗浄液ノズル８から放出されてペットの毛の間に浸透するため、従来の手作業による洗浄に比べ、洗浄液を泡立ててペットに塗布する手間がかからず、ペットに洗浄液をかける動作だけで楽に洗浄できる。
【００３４】
尚、ここで、洗浄液ノズル８としては、発泡機能を有するものを使用すると、一層好適に洗浄液を泡立てることができる。
【００３５】
またここで、例えば、洗浄対象のペットの生物種や品種にあわせて洗剤ボトル３内の洗剤Ｓを使用したい場合には、洗剤バルブ３ａ、４ａ、５ａを操作し、洗剤バルブ３ａを開弁し、洗剤バルブ４ａ、５ａを閉弁しておけば、洗剤ボトル３内の洗剤Ｓのみを洗剤流路１２ａに導入することができる。尚、本実施例は洗剤ボトルおよび洗剤バルブを各三つ備えた装置として説明しているが、この数に限定されない。また、洗浄に用いる洗剤Ｓとしては、例えば、洗剤ボトル３、４、５にペットの生物種や品種に合わせた異なる種類のシャンプーをそれぞれ封入し、洗浄対象のペットに応じて使い分けても良いし、例えば、洗剤ボトル３にシャンプー、洗剤ボトル４にリンス液、洗剤ボトル５にトリートメント液を封入し、ペット洗浄の手順に応じて切り替えるようにしても良い。
【００３６】
このように、本実施例においては、複数の洗剤ボトル３、４、５から各々洗剤バルブ３ａ、４ａ、５ａを介して本体１内の流路（洗剤流路）１２ａに洗剤Ｓが供給されるため、ペットの生物種や品種、洗浄手順等に応じて複数の洗剤Ｓを簡単に使い分けることができる。
【００３７】
さらに、本実施例においては、上記したように、エジェクタ１０の上流側の流路である洗浄液側上流路８ｂに定流量弁１１を備え、且つ洗剤Ｓを供給する洗剤流路１２ａにスロットル弁１３を備えているので、予めスロットル弁１３の開度を調整しておくことにより、流路１０ａを流れる湯水Ｗに対し常に適量の濃度の洗剤Ｓを混合することができる。
【００３８】
また本実施例において、エジェクタ１０は、炭酸ボンベ６から導入した炭酸ガスＧを炭酸ガス流路１４ａを介してベンチュリ部１０ｂから引き込んで湯水Ｗに混合するようになっており、これによって、洗浄液ノズル８から炭酸ガスＧを混合した洗浄液を放出させ、炭酸ガスＧによる洗浄を行うこともできるようになっている。
【００３９】
上記炭酸ガス洗浄を行う場合には、上記洗浄作業に際して炭酸バルブ１５を開弁すれば、空気導入口１６から導入される空気Ａに加え、炭酸ボンベ６から炭酸チューブ６ａ、炭酸ガス流路１４ａを介してエジェクタ１０内に導入された炭酸ガスＧが湯水Ｗに混合される。
【００４０】
尚、このとき、あらかじめ炭酸流量計１４ｃの値を見ながら炭酸ガスレギュレータ６ｂを操作して炭酸ボンベ６から放出される炭酸ガスＧの圧力を調節し、炭酸ガスＧの流量を一定の流量の湯水Ｗにちょうど飽和する値に合わせておけば、効率良く炭酸ガス洗浄を行うことができる。
【００４１】
このように、炭酸ガスＧを洗浄液に混合させれば、炭酸ガスＧによる微細な泡が大量に発生し、より好適にペットの洗浄を行うことができる。
【００４２】
尚、本実施例においては、上記の通り、洗浄液ノズル８を備えた洗浄液ホース８ａを本体１に対し脱着可能に取り付けているので、洗浄対象であるペットの大きさに適した洗浄液ノズル８をその都度選択し、交換して使用することができる。
【００４３】
洗浄液による洗浄が終わったら、三方切替弁９を操作し、洗浄液側出口９ｂを閉じて湯水側出口９ａを開弁すると、洗浄液ノズル８からの洗浄液の噴射が停止し、湯水流路２ｂから湯水ホース２ａを介して湯水ノズル２から湯水Ｗが放出される。これによって、ペットに塗布した洗浄液を洗い落とすことができる。
【００４４】
このように、本実施例においては、洗浄液側上流路８ｂの上流に三方切替弁９を備え、洗浄液による洗浄を行わない時は三方切替弁９を切り替えて洗剤Ｓを含まない湯水Ｗを湯水ノズル２から放出することができるので、洗浄液の塗布から洗い落としへの作業の移行を簡便に行うことができる。
【００４５】
尚、本実施例においては、上記の通り、湯水ノズル２を備えた湯水ホース２ａを本体１に対し脱着可能に取り付けているので、洗浄対象であるペットの大きさに適した湯水ノズル２をその都度選択し、交換して使用することができる。
【００４６】
洗浄液を洗い落とした後は、ドライヤー等でペットを乾燥させるが、本実施例においては、乾燥後のペットに対し、スプレーガン７を用いて炭酸ミストケアを行うことができる。炭酸ミストケアを行う場合には、スプレーガン７のタンク７ｃに化粧水を入れ、本体１のミストバルブ１８を開き、スプレーガン７のスプレーボタン７ｄを押すと、炭酸ボンベ６から炭酸チューブ６ａ、炭酸ガス流路１４ａ、ミスト用流路１４ｂ、ミスト用チューブ７ａを通って導かれた炭酸ガスＧが、ノズル７ｂから噴射される。この際、炭酸ガスＧはタンク７ｃ内の化粧水と混ざり、炭酸ミストとしてノズル７ｂから噴霧される。尚、炭酸ミストケアに用いる化粧水としては所定の保湿成分等を含むものを用いても良いし、水を用いても良い。
【００４７】
このように、本実施例においては、炭酸ボンベ６からベンチュリ部１０ｂに炭酸ガスＧを引き込む炭酸ガス流路１４ａからミスト用流路１４ｂを分岐し、該ミスト用流路１４ｂから導入した炭酸ガスＧを化粧水と混合して噴霧する炭酸ミストノズルとしてのスプレーガン７を備えているので、乾燥後、洗浄によってダメージを受けたペットの毛に対し、炭酸ガスＧを混合した化粧水を噴霧して炭酸ミストケアを行うことができる。
【００４８】
以上が本実施例のペット洗浄装置の動作である。このように、本実施例のペット洗浄装置は、既存の水道配管から引き込んだ湯水Ｗの水圧によって無電源で動作する。このため、設置にあたり別の動力や特別な工事が不要で、簡単に設置することができる。
【００４９】
したがって、本実施例のペット洗浄装置によれば、洗剤を湯水に対し簡便に希釈混合し、好適にペットを洗浄し得る。
【００５０】
尚、本発明のペット洗浄装置は、上述の実施例にのみ限定されるものではなく、本発明の要旨を逸脱しない範囲内において種々変更を加え得ることは勿論である。
【符号の説明】
【００５１】
１  本体
２  湯水ノズル
３、４、５  洗剤ボトル
３ａ、４ａ、５ａ  洗剤バルブ
６  炭酸ボンベ
７  炭酸ミストノズル（スプレーガン）
８  洗浄液ノズル
８ｂ  流路（洗浄液側上流路）
８ｃ  流路（洗浄液側下流路）
９  三方切替弁
１０  エジェクタ
１０ｂ、１０ｃ  ベンチュリ部
１１  定流量弁
１２ａ  流路（洗剤流路）
１３  スロットル弁
１４ａ  炭酸ガス流路
１４ｂ  ミスト用流路
Ｇ  炭酸ガス
Ｓ  洗剤
Ｗ  湯水
【図１】
0006454101.tif 000002
【図２】
0006454101.tif 000003